(57)【要約】【課題】  釣り糸への取付が容易で、合わせ動作が安定する自動合わせ浮きを提供する。【解決手段】  自動合わせ浮き１は、胴本体２０と浮力体１０とからなる。胴本体２０は上下が塞がれた筒状の胴部２１を有し、胴部２１の内部の上方には、上下に移動自在であって引張バネにより下方に付勢されている合わせプレート５０が、ロック体５５との係合によるロック状態にて設置されている。胴部２１の内部の下方には、一端が釣り糸に接続されているワイヤ６１の他端が接続された、上下に移動自在の移動体３０が設置されている。釣り糸が引かれワイヤ６１の一端が引かれることにより移動体３０が所定位置まで移動すると、合わせプレート５０のロック状態が解除され、合わせプレート５０の下降と共に移動体３０が下方に移動する。すると、ワイヤ６１の引き上げに伴い釣り糸が引き上げられ、自動的に合わせ動作が行われる。【選択図】  図４
2012105576.tif 000002
【特許請求の範囲】
【請求項１】
浮力体と前記浮力体に接続された胴本体とからなる自動合わせ浮きであって、
前記胴本体は、
筒状の胴部と、
釣り糸の途中にその一端が接続され、他端が前記胴部の内部に挿通される連結索と、
前記胴部の内部に設置され、前記連結索が所定距離以上に繰出されると、前記連結索を前記胴部に引込むように作動する連結索引込み手段とを含む、自動合わせ浮き。
【請求項２】
前記胴部は上下に延びると共に下部が塞がれており、
前記胴部の内部には、下方に位置すると共に上下に移動自在の移動体が設置され、
前記連結索の前記他端は、前記胴部の前記下部から挿通されて前記胴部の上方に位置する係合体に係合した後前記移動体に接続し、
前記連結索引込み手段は、前記移動体が所定位置まで上昇した時、前記移動体を下方に移動させるように付勢する付勢手段を含む、請求項１記載の自動合わせ浮き。
【請求項３】
前記浮力体は、前記胴本体の上部に脱着自在に取付けられ、
前記移動体には、上方に延び、前記浮力体を摺動自在に貫通すると共に前記移動体が最下方に位置する時、前記浮力体の上面に少なくともその頭部が露出する魚信棒が取付けられる、請求項２記載の自動合わせ浮き。
【請求項４】
前記付勢手段は、
前記移動体の上方であって、平面視で少なくともその一部が前記移動体に重なるように位置し、前記胴部内を上下に移動自在であると共にその一部が前記胴部の側壁より外方に突出している合わせプレートと、
前記合わせプレートと前記胴部の前記下部との間に設置され、前記合わせプレートを下方に付勢する引張バネと、
前記合わせプレートを前記引張バネの付勢力に抗して上昇させた時、前記合わせプレートを所定の位置にロックして下方への移動を阻止するロック体とを備え、
前記ロック体は、前記合わせプレートをロックする第１の位置とロックを解除する第２の位置とに移動自在となるように構成されると共に、前記胴部には前記ロック体を前記第１の位置に付勢する伸張バネが取付けられ、前記ロック体は前記移動体が前記所定位置まで上昇すると、前記第１の位置から前記第２の位置に移動する、請求項２又は請求項３記載の自動合わせ浮き。
【請求項５】
前記移動体は円筒形状の磁石よりなり、
前記移動体の前記所定位置において面する前記ロック体の部分は前記移動体の磁力によって反発又は吸着する材料よりなり、
前記ロック体は、前記移動体の磁力によって移動する、請求項４記載の自動合わせ浮き。
【請求項６】
前記胴部の前記下部には、前記移動体の下方位置を上下に調整する移動体調整手段が設けられる、請求項３から請求項５のいずれかに記載の自動合わせ浮き。
【請求項７】
前記魚信棒には、錘が脱着自在に取付けられる、請求項３から請求項６のいずれかに記載の自動合わせ浮き。
【請求項８】
前記浮力体には、前記浮力体に対する前記魚信棒の所定部分の通過に応じて無線信号を発信する無線発信手段が設置される、請求項３から請求項７記載のいずれかに記載の自動合わせ浮き。
【発明の詳細な説明】
【技術分野】
【０００１】
この発明は自動合わせ浮きに関し、特に浮き釣りにおいて使用される自動合わせ浮きに関するものである。
【背景技術】
【０００２】
魚釣りにおいては、魚釣り用の浮きを釣り人が監視し続け、浮きの状態の変化から魚のアタリを感知して、竿を持ち上げて魚の口に釣り針を掛ける、いわゆる合わせ動作が行われる。この合わせ動作は、経験と熟達が必要なものであり、初心者等には難しいものであった。そこで、以下に示されているような、自動アワセ機能付き浮きが提案されている。
【０００３】
図１９は、従来の自動アワセ機能付き浮きの使用状態を示す一部切欠側面図である。
【０００４】
図を参照して、自動アワセ機能付き浮き８０は、フロート体８１と、フロート体８１を貫通する外筒体８２と、外筒体８２内部に摺動自在に挿入されて、その一方端部が外筒体８２から突出する軸体８３とからなる。
【０００５】
軸体８３の一方端部には釣り糸８４を保持する保持キャップ８５が取り付けられており、軸体８３の他方端部には切欠を有する係止孔８６が設けられている。尚、軸体８３は外筒体８２の内部に設けられた図示しないスプリングによって保持キャップ８５が取り付けられている側に付勢されているが、係止孔８６が、外筒体８２を直角に貫通し回動自在な偏平シャフト８７に係合していることにより、所定の位置にロックされている。
【０００６】
偏平シャフト８７からは、偏平シャフト８７を中心として傾動自在な釣り糸ガイド部材８８が、外筒体８２側面に設けられた切欠孔８９を通って外筒体８２の外側まで延びている。尚、釣り糸ガイド部材８８の傾動に伴い、偏平シャフト８７は回動する。
【０００７】
使用にあたっては、保持キャップ８５、釣り糸ガイド部材８８の端部、及び外筒体８２の下部に設けられた釣り糸カラミ防止部材９０の各々に釣り糸８４を通して、保持キャップ８５の側を上にして自動アワセ機能付き浮き８０を振込む。
魚のアタリにより釣り糸８４が下方に引き下げられることによる釣り糸ガイド部材８８の傾動に合わせて偏平シャフト８７が所定の位置まで回動すると、偏平シャフト８７と係止孔８６との係合が解除される。すると、軸体８３がスプリングの付勢力によって海面側に上昇するので、軸体８３の上昇に伴って釣り糸８４が引き上げられ、自動的に合わせ動作が行われる。
【先行技術文献】
【特許文献】
【０００８】
【特許文献１】実公平７−１９７８号公報
【発明の概要】
【発明が解決しようとする課題】
【０００９】
上記のような自動アワセ機能付き浮きは、釣り糸を複数の箇所に通す必要があり、釣り糸への取付に手間がかかると共に、合わせ動作の安定性を欠くものであった。
【００１０】
この発明は、上記のような課題を解決するためになされたもので、釣り糸への取付が容易で、合わせ動作が安定する自動合わせ浮きを提供することを目的とする。
【課題を解決するための手段】
【００１１】
上記の目的を達成するために、請求項１記載の発明は、浮力体と浮力体に接続された胴本体とからなる自動合わせ浮きであって、胴本体は、筒状の胴部と、釣り糸の途中にその一端が接続され、他端が胴部の内部に挿通される連結索と、胴部の内部に設置され、連結索が所定距離以上に繰出されると、連結索を胴部に引込むように作動する連結索引込み手段とを含むものである。
【００１２】
このように構成すると、釣り糸の引きによる連結索の所定距離の繰出しに応答して、連結索が引込まれる。
【００１３】
請求項２記載の発明は、請求項１記載の発明の構成において、胴部は上下に延びると共に下部が塞がれており、胴部の内部には、下方に位置すると共に上下に移動自在の移動体が設置され、連結索の他端は、胴部の下部から挿通されて胴部の上方に位置する係合体に係合した後移動体に接続し、連結索引込み手段は、移動体が所定位置まで上昇した時、移動体を下方に移動させるように付勢する付勢手段を含むものである。
【００１４】
このように構成すると、連結索の釣り糸を介しての一端側にかかる重量が移動体の重量によって軽減される。
【００１５】
請求項３記載の発明は、請求項２記載の発明の構成において、浮力体は、胴本体の上部に脱着自在に取付けられ、移動体には、上方に延び、浮力体を摺動自在に貫通すると共に移動体が最下方に位置する時、浮力体の上面に少なくともその頭部が露出する魚信棒が取付けられるものである。
【００１６】
このように構成すると、餌の重量に応じて浮力体を取り替えることができる。又、連結索が繰出されると魚信棒の先端が浮力体の上面より上昇する。
【００１７】
請求項４記載の発明は、請求項２又は請求項３記載の発明の構成において、付勢手段は、移動体の上方であって、平面視で少なくともその一部が移動体に重なるように位置し、胴部内を上下に移動自在であると共にその一部が胴部の側壁より外方に突出している合わせプレートと、合わせプレートと胴部の下部との間に設置され、合わせプレートを下方に付勢する引張バネと、合わせプレートを引張バネの付勢力に抗して上昇させた時、合わせプレートを所定の位置にロックして下方への移動を阻止するロック体とを備え、ロック体は、合わせプレートをロックする第１の位置とロックを解除する第２の位置とに移動自在となるように構成されると共に、胴部にはロック体を第１の位置に付勢する伸張バネが取付けられ、ロック体は移動体が所定位置まで上昇すると、第１の位置から第２の位置に移動するものである。
【００１８】
このように構成すると、移動体の上昇によってロック体によるロックが解除される。
【００１９】
請求項５記載の発明は、請求項４記載の発明の構成において、移動体は円筒形状の磁石よりなり、移動体の所定位置において面するロック体の部分は移動体の磁力によって反発又は吸着する材料よりなり、ロック体は、移動体の磁力によって移動するものである。
【００２０】
このように構成すると、移動体の磁力によってロック体は作動する。
【００２１】
請求項６記載の発明は、請求項３から請求項５のいずれかに記載の発明の構成において、胴部の下部には、移動体の下方位置を上下に調整する移動体調整手段が設けられるものである。
【００２２】
このように構成すると、下方の移動体の位置から所定位置までの長さを調整できる。
【００２３】
請求項７記載の発明は、請求項３から請求項６のいずれかに記載の発明の構成において、魚信棒には、錘が脱着自在に取付けられるものである。
【００２４】
このように構成すると、移動体の見かけ重量を増加できる。
【００２５】
請求項８記載の発明は、請求項３から請求項７のいずれかに記載の発明の構成において、浮力体には、浮力体に対する魚信棒の所定部分の通過に応じて無線信号を発信する無線発信手段が設置されるものである。
【００２６】
このように構成すると、魚の引きの動作が遠隔場所に通知される。
【発明の効果】
【００２７】
以上説明したように、請求項１記載の発明は、釣り糸の引きによる連結索の所定距離の繰出しに応答して、連結索が引込まれるので、釣り糸への取付が容易で、合わせ動作が安定する。
【００２８】
請求項２記載の発明は、請求項１記載の発明の効果に加えて、連結索の釣り糸を介しての一端側にかかる重量が移動体の重量によって軽減されるので、釣り糸に加わる餌の重さにかかわらず、合わせ動作が安定する。
【００２９】
請求項３記載の発明は、請求項２記載の発明の効果に加えて、餌の重量に応じて浮力体を取り替えることができるので、餌の重量に対応させての使用が容易となる。又、連結索が繰出されると魚信棒の先端が浮力体の上面より上昇するので、魚の引き動作が明確に視認できる。
【００３０】
請求項４記載の発明は、請求項２又は請求項３記載の発明の効果に加えて、移動体の上昇によってロック体によるロックが解除され、合わせプレートが下方に移動するので、移動体が確実に下降し連結索が引込まれる。
【００３１】
請求項５記載の発明は、請求項４記載の発明の効果に加えて、移動体の磁力によってロック体は作動するので、ロック体の解除動作が安定する。
【００３２】
請求項６記載の発明は、請求項３から請求項５のいずれかに記載の発明の効果に加えて、下方の移動体の位置から所定位置までの長さを調整できるので、魚の種類に応じた合わせの感度を自在に調整できるので使い勝手が良い。
【００３３】
請求項７記載の発明は、請求項３から請求項６のいずれかに記載の発明の効果に加えて、移動体の見かけ重量を増加できるので、餌の重量に応じて連結索の重量バランスを取ることが可能となる。
【００３４】
請求項８記載の発明は、請求項３から請求項７のいずれかに記載の発明の効果に加えて、魚の引きの動作が遠隔場所に通知されるので、目を浮きから離しても引きの動作が知らされるので、使い勝手が良い。
【図面の簡単な説明】
【００３５】
【図１】この発明の第１の実施の形態による自動合わせ浮きの使用状態を示した模式図である。
【図２】図１で示した自動合わせ浮きの平面図である。
【図３】図１で示した自動合わせ浮きの底面図である。
【図４】ワイヤを通した状態での図２に示したＩＶ−ＩＶラインの概略断面図である。
【図５】図２に示したＶ−Ｖラインの概略断面図である。
【図６】図４に示したＶＩ−ＶＩラインの断面図である。
【図７】図４に示したＶＩＩ−ＶＩＩラインの拡大断面図である。
【図８】図４に示したＶＩＩＩ−ＶＩＩＩラインの拡大断面図である。
【図９】図４に示したＩＸ−ＩＸラインの拡大断面図である。
【図１０】図４で示した合わせプレートをロックする動作を示した模式図である。
【図１１】図１０で示した合わせプレートのロックを解除する動作を示した模式図である。
【図１２】図１に示した自動合わせ浮きを分解した状態の概略断面図である。
【図１３】図１で示した受信装置の模式図である。
【図１４】図１で示した自動合わせ浮きの第１の使用状態（垂らし状態）を示した概略断面図である。
【図１５】図１で示した自動合わせ浮きの第２の使用状態（当たり状態）を示した概略断面図である。
【図１６】図１で示した自動合わせ浮きの第３の使用状態（引き状態）を示した概略断面図である。
【図１７】図１で示した自動合わせ浮きの第４の使用状態（合わせ状態）を示した概略断面図である。
【図１８】移動体の位置を変更した場合であって、図１で示した自動合わせ浮きの第１の使用状態（垂らし状態）を示した概略断面図であり、図１４に対応する図である。
【図１９】従来の自動アワセ機能付き浮きの使用状態を示す一部切欠側面図である。
【発明を実施するための形態】
【００３６】
図１は、この発明の第１の実施の形態による自動合わせ浮きの使用状態を示した模式図である。
【００３７】
図を参照して、自動合わせ浮き１が、ワイヤ６１の一端に接続されたサルカン６２及び自動合わせ浮き１に形成された道糸案内リング２７を介して、釣り糸６４に接続された状態で海面に振り込まれている。これによって、釣り糸６４を巻き上げる時にワイヤ６１を直接引張ることを防止している。尚、自動合わせ浮き１とは別に受信装置７０が釣り人近くに備えられている。
【００３８】
図２は、図１で示した自動合わせ浮きの平面図であり、図３は、図１で示した自動合わせ浮きの底面図であり、図４は、ワイヤを通した状態での図２に示したＩＶ−ＩＶラインの概略断面図であり、図５は、図２に示したＶ−Ｖラインの概略断面図であり、図６は、図４に示したＶＩ−ＶＩラインの断面図であり、図７は、図４に示したＶＩＩ−ＶＩＩラインの拡大断面図であり、図８は、図４に示したＶＩＩＩ−ＶＩＩＩラインの拡大断面図であり、図９は、図４に示したＩＸ−ＩＸラインの拡大断面図である。
【００３９】
まず、図４を参照して、自動合わせ浮き１は、胴本体２０と、胴本体２０の上キャップ２４に螺合して接続された浮力体１０とからなる。このように構成すると、胴本体２０と浮力体１０とが脱着自在に接続されたものとなるが、この効果は後述する。
【００４０】
次に、図２、図４及び図６を参照して、浮力体１０は、貫通孔１１を有する幅広の略円柱形状であって、内部が密閉された空洞となっているものである。浮力体１０の上面には、浮力体１０の内部に電池１８ａ及び１８ｂを収容するための、浮力体１０に螺合することによって閉じられる蓋１２が形成されている。
【００４１】
浮力体１０の内部には、基板１５、リードスイッチ１６、水晶発振子１７、電池１８ａ及び１８ｂ、及び発信回路等を組みこんだ集積回路１９からなる無線発信装置１３が設置されている。リードスイッチ１６は貫通孔１１の周壁に対向するように設けられているが、このように構成されていることによる効果は後述する。
【００４２】
次に、図４及び図８を参照して、胴本体２０は、縦長の円筒状であって側面の一部に上下方向に延びたスリット２２ａ及び２２ｂが形成され、上部が上キャップ２４で、下部が下キャップ２６で、それぞれ塞がれた胴部２１を有する。上キャップ２４には貫通孔２５が設けられている。
【００４３】
又、胴部２１の内部の下方には、球形状の磁石よりなる移動体３０が設置されている。移動体３０は、その外面が、下キャップ２６から上キャップ２４まで延びる案内ガイド３１ａ、３１ｂ、３１ｃ及び３１ｄの各々に囲まれ、それらに沿って上下に移動自在となっている。尚、移動体３０の重量は使用する餌を含む仕掛け全体の重量より若干重くなるように設定されている。
【００４４】
ここで、図２、図４及び図８を参照して、移動体３０の上端には、上方に延び、浮力体１０の貫通孔１１、胴部２１の上キャップ２４の貫通孔２５及び後述する合わせプレート５０の貫通孔５１の各々を摺動自在に貫通する魚信棒３２が取り付けられている。魚信棒３２の上部及びその上端に取り付けられた発光体４３は、浮力体１０の上面に露出している。
【００４５】
次に、図４、図５及び図７を参照して、胴部２１の内部の上方には、上下に移動自在の合わせプレート５０が、平面視で移動体３０に重なるように設置されている。このように設置されていることによる効果は後述する。
【００４６】
合わせプレート５０には、上述した貫通孔５１と、ワイヤ通し孔５２ａ及び５２ｂが設けられている。合わせプレート５０は中央部が案内ガイド３１ａ、３１ｂ、３１ｃ及び３１ｄの各々に内接する円形形状を有し、そこから外方に十字方向に延びる突出部を備えている。その突出部の一部はスリット２２ａ及び２２ｂを介して胴部２１の側壁から突出しているので、合わせプレート５０は、その突出している部分を掴んで任意に上下に移動させることができる。尚、合わせプレート５０は、一端が下キャップ２６に固定された引張バネ５４ａ及び５４ｂの他端と接続していることから下方に常時付勢されている。図においては、合わせプレート５０をロックする第１の位置に伸張バネ５８により付勢されているロック体５５との係合（図７の破線部分）により、上方においてロック状態にあり、下方への移動が阻止されている。
【００４７】
ロック体５５は、移動体３０が合わせプレート５０付近に位置するときに移動体３０に面する、磁性体で形成された垂下片５６と、レバー５７とを有する。レバー５７は、胴部２１に設けられた開口２３を介して胴部２１の側壁から突出している。尚、ロック体５５は、案内ガイド３１ａを中心に回動して、図７で示す第１の位置から後述する第２の位置まで移動自在となるように構成されているが、この効果については後述する。
【００４８】
次に、図３、図４、図５及び図９を参照して、下キャップ２６には、道糸案内リング２７及び水抜き孔２８ａ、２８ｂ、２８ｃ及び２８ｄが設けられており、上述したように引張バネ５４ａ及び５４ｂの一端が固定されている。又、中央には移動体３０を載置する合わせタイミング調節ネジ２９が設けられており、移動体３０の下方位置を合わせタイミング調節ネジ２９を操作することによって上下に調整することができるが、このように構成されていることによる効果は後述する。
【００４９】
水抜き孔２８ｄからは、図１で示したワイヤ６１の他端が、胴部２１の内部に挿通されている。ワイヤ６１の他端は、合わせプレート５０のワイヤ通し孔５２ａ及び５２ｂの各々を通り、かつ、合わせプレート５０と上キャップ２４との間に設けられた滑車６３と係合した状態で、移動体３０に接続されている。これにより、ワイヤ６１の一端が外方に引かれ、ワイヤ６１が胴部２１の内部より繰出されると、移動体３０が上方に移動する。又、図示しない釣り糸を介してワイヤ６１の一端側にかかる重量が移動体３０の重量によって軽減されるが、このように構成されていることによる効果は後述する。
【００５０】
図１０は、図４で示した合わせプレートをロックする動作を示した模式図であり、図１１は、図１０で示した合わせプレートのロックを解除する動作を示した模式図である。
【００５１】
まず、図１０の（１）を参照して、伸張バネ５８により通常は第１の位置に付勢されているロック体５５を、レバー５７を押すことによって矢印の方向に移動させ、図で示す第２の位置に待機させる。この第２の位置にあるとき、ロック体５５による合わせプレート５０のロック状態は解除状態となっている。この状態で合わせプレート５０を引張バネ５４ａ及び５４ｂの付勢力に抗して引き上げる。
【００５２】
次に、図１０の（２）を参照して、ロック体５５の付近まで合わせプレート５０を引き上げたところでレバー５７を離すと、伸張バネ５８の付勢によりロック体５５が第１の位置に戻る。すると、ロック体５５の係合部５９と合わせプレート５０の係合部５３とが係合し、合わせプレート５０が下方に移動しないロック状態となる。尚、ロック体５５の係合部５９の下部にはテーパーが付いているので、合わせプレート５０の係合部５３が係合部５９の下部に当接した状態から更に合わせプレート５０を引き上げると、ロック体５５が第２の位置に移動していき、完全に合わせプレート５０が引き上がると、伸張バネ５８の付勢によりロック体５５が再び第１の位置に戻り、合わせプレート５０がロック状態となる。よって、レバー５７を用いなくても、ロック体５５により合わせプレート５０をロック状態にすることは可能であるが、レバー５７を用いた場合の方が、合わせプレート５０及びロック体５５の磨耗が減り、これらの持ちが良くなる。
【００５３】
次に、図１１の（１）を参照して、移動体３０がワイヤ６１の引きにより合わせプレート５０の付近まで上昇した状態を示している。ここで、上述したようにロック体５５の垂下片５６は磁性体よりなるから、垂下片５６は磁石である移動体３０に引き付けられる。これにより、伸張バネ５８の付勢力に抗して再びロック体５５が第１の位置から第２の位置に移動し、合わせプレート５０のロック状態が解除される。このようにして、移動体３０の磁力によってロック体５５が作動するから、ロック体５５の解除動作が安定する。
【００５４】
最後に、図１１の（２）を参照して、ロック状態が解除されると、合わせプレート５０は、引張バネ５４ａ及び５４ｂの付勢力によって引き下げられる。このとき、上述したように合わせプレート５０は移動体３０に平面視で重なっているから、合わせプレート５０の下降に伴い、移動体３０が確実に下降すると共にワイヤ６１が引き込まれる。
【００５５】
図１２は、図１に示した自動合わせ浮きを分解した状態の概略断面図である。
【００５６】
図を参照して、まず、胴本体２０と浮力体１０とが、螺合状態が解除されて分離している。すると、浮力体１０を取り替えることができるので、自動合わせ浮き１は、餌の重量に応じた浮力を有する浮力体１０を対応させた使用が可能となる。又、魚の種類に応じて適切な浮力を自動合わせ浮き１に与えることが可能となる。
【００５７】
次に、魚信棒３２が、移動体３０に取り付けられ検知磁石３４を有する魚信棒本体３３、魚信棒ジョイント３６、付加錘３９ａ及び３９ｂ、浮きトップ４０及び発光体４３の各々の構成要素に分離している。尚、検知磁石３４を有することによる効果については後述する。
【００５８】
ここで、魚信棒本体３３と魚信棒ジョイント３６とは、魚信棒本体３３の上部に形成された凹部３５に、魚信棒ジョイント３６の下部に形成された凸部３７が挿入されることにより結合する。又、魚信棒ジョイント３６と浮きトップ４０とは、魚信棒ジョイント３６に形成された挿入孔３８に浮きトップ４０の下部に形成された挿入棒４１が挿入されることにより結合する。更に、浮きトップ４０と発光体４３とは、浮きトップ４０の上部に形成された発光体保持部４２に発光体４３が挿入されることにより結合する。このように構成すると、魚信棒本体３３、魚信棒ジョイント３６、浮きトップ４０及び発光体４３の各々の結合が容易となる。
【００５９】
尚、付加錘３９ａ及び３９ｂは、挿入棒４１が貫通する筒形状に形成されており、付加錘３９ａ及び３９ｂに挿入棒４１を通した状態で挿入棒４１を挿入孔３８に挿入することで、魚信棒３２に脱着自在に取り付けられる。このように構成すると、移動体３０の見かけ重量を増加することができるので、餌の重量に応じてワイヤ６１の重量バランスを取ることが可能となる。
【００６０】
図１３は、図１で示した受信装置の模式図である。
【００６１】
図を参照して、受信装置７０は矩形の箱形状を有し、内部にアンテナ線７１が接続された受信マイコンボード７２、ブザー７３及び電池７４を、外部にＬＥＤ７５及びイヤホンジャック７６を備え、図７で示した無線発信装置１３が発信した信号を受信して、音又は光で信号の受信を釣り人に知らせる。このように構成されることによる効果は後述する。
【００６２】
図１４は、図１で示した自動合わせ浮きの第１の使用状態（垂らし状態）を示した概略断面図であり、図１５は、図１で示した自動合わせ浮きの第２の使用状態（当たり状態）を示した概略断面図であり、図１６は、図１で示した自動合わせ浮きの第３の使用状態（引き状態）を示した概略断面図であり、図１７は、図１で示した自動合わせ浮きの第４の使用状態（合わせ状態）を示した概略断面図である。
【００６３】
まず、図１４を参照して、自動合わせ浮き１が釣り糸６４の先端に接続された釣り針６５に餌６６を付けた状態で海面に振り込まれた垂らし状態を示しており、餌６６に魚６９が食付こうとしている。この状態においては、自動合わせ浮き１には何の変化も無い。
【００６４】
次に、図１５を参照して、魚６９が餌６６に食付く、いわゆる当たり状態により、釣り糸６４が引かれ、サルカン６２と道糸案内リング２７との間に釣り糸６４に設置されたシモリ玉６７がサルカン６２に引っ掛かる。この状態で釣り糸６４が更に引かれると、サルカン６２もシモリ玉６７と共に引かれ、ワイヤ６１が自動合わせ浮き１より繰り出され、ワイヤ６１の他端に接続する移動体３０の上昇に伴い、魚信棒３２が上昇する。すると、魚信棒３２の先端が浮力体１０より上昇するので、魚の当たり動作が明確に視認できる。
【００６５】
又、魚信棒３２の上昇により検知磁石３４がリードスイッチ１６の傍を通過すると、検知磁石３４の磁力によりリードスイッチ１６がオンとなり、無線発信装置１３から無線信号が発信される。尚、この無線信号は図１３で示した受信装置７０に受信される。このように構成すると、魚６９の当たり動作が遠隔場所に音及び光によって通知されるので、目を自動合わせ浮き１から放していても引きの動作が分かり、使い勝手が良い。
【００６６】
更に、図１６を参照して、当たりから引き動作に変わり、更にワイヤ６１が繰り出されて移動体３０が合わせプレート５０の付近まで上昇すると、上述のように合わせプレート５０のロック状態が解除される。
【００６７】
最後に、図１７を参照して、ロック状態が解除された合わせプレート５０に移動体３０が押し下げられて下方に移動するのに伴ってワイヤ６１が引き戻される。すると、サルカン６２にシモリ玉６７が引っ掛かったままなので、ワイヤ６１の引き戻しと共に釣り糸６４も引き上げられ、釣り針６５が魚６９の口に掛かる、いわゆる合わせ動作が行われる。
【００６８】
図１４から図１７にて示したように、自動合わせ浮き１は、移動体３０の位置から合わせプレート５０の位置までの距離（所定距離）以上に、ワイヤ６１が釣り糸６４に引かれることによって繰り出されると、ワイヤ６１を引き込むものであり、釣り糸６４への取付が容易で、合わせ動作が安定するものである。又、上述したように、釣り糸６４を介してワイヤ６１の一端側にかかる重量は移動体３０の重量や付加錘によって軽減されているから、釣り糸６４に加わる餌６６の重さにかかわらず、合わせ感度を適切に維持でき合わせ動作が安定する。更に、ワイヤ６１の繰り出しが所定距離未満の当たりや引きでは合わせ動作が行われないので、単に魚６９が餌６６に触れただけ等、魚６９の口に釣り針６５が掛からない状態における誤作動が無く、合わせ動作が確実なものとなる。
【００６９】
図１８は、移動体の位置を変更した場合であって、図１で示した自動合わせ浮きの第１の使用状態を示した概略断面図であり、図１４に対応する図である。
【００７０】
図を参照して、合わせタイミング調節ネジ２９により、移動体３０の下方位置が上昇した状態に自動合わせ浮き１が調整されている。尚、他の部分は図１４に示したものと同一であるため、ここでの説明は繰り返さない。
【００７１】
このようにすると、移動体３０と合わせプレート５０との距離が短くなり、ワイヤ６１の引き動作の開始からロック状態の解除までの時間を短くすることができる。すなわち、このように構成すると、移動体３０の位置から合わせプレート５０の位置までを所望の長さに調節できるので、魚６９の種類に応じた合わせの感度を自在に調整でき、使い勝手が良い。
【００７２】
尚、上記の第１の実施の形態では、浮力体に無線発信装置が設置されていたが、これは無くても良い。
【００７３】
又、上記の第１の実施の形態では、魚信棒に付加錘が取り付けられていたが、これは無くても良い。
【００７４】
更に、上記の第１の実施の形態では、合わせタイミング調節ネジが設けられていたが、これは無くても良い。
【００７５】
更に、上記の第１の実施の形態では、ロック体は、磁石で形成された移動体の磁力により作動するものであったが、移動体の移動によりロック体が作動するものであれば良い。
【００７６】
更に、上記の第１の実施の形態では、ロック体は、磁性体よりなる垂下片が移動体に吸着されることで作動するものであったが、垂下片が移動体の反対磁極を有する磁石よりなり、移動体に吸着されることで作動するものであっても良い。又、垂下片が移動体と同一磁極を有する磁石よりなり、移動体に反発することで作動するものであっても良い。
【００７７】
更に、上記の第１の実施の形態では、合わせプレートは全体が平面視移動体に重なるように位置していたが、移動体の少なくとも一部が平面視で重なるように位置していれば良い。
【００７８】
更に、上記の第１の実施の形態では、合わせプレートの付勢手段を引張バネとしていたが、下方に付勢するものであれば他のものでも良い。
【００７９】
更に、上記の第１の実施の形態では、ロック体の付勢手段を伸張バネとしていたが、第１の位置に付勢するものであれば他のものでも良い。
【００８０】
更に、上記の第１の実施の形態では、浮力体は胴本体に対し脱着自在であったが、取り外しができないものであっても良い。
【００８１】
更に、上記の第１の実施の形態では、魚信棒の先端に発光体が取り付けられていたが、これに代えてＬＥＤを取付けても良く、あるいはこれらは無くても良い。
【００８２】
更に、上記の第１の実施の形態では、自動合わせ浮きと釣り糸とを接続する連結索としてワイヤが用いられていたが、他の糸状のものであっても良い。
【００８３】
更に、上記の第１の実施の形態では、ワイヤは滑車に係合していたが、滑車以外のものに係合して方向を変えるように構成しても良い。
【００８４】
更に、上記の第１の実施の形態では、移動体に魚信棒が取り付けられていたが、これは無くても良い。
【００８５】
更に、上記の第１の実施の形態では、移動体は球形状であったが、例えば円筒形状等の、他の形状であっても良い。
【００８６】
更に、上記の第１の実施の形態では、胴本体は円筒状であったが、円筒状以外の筒状であっても良い。
【符号の説明】
【００８７】
１…自動合わせ浮き
１０…浮力体
１３…無線発信装置
２０…胴本体
２１…胴部
２６…下キャップ
２９…合わせタイミング調節ネジ
３０…移動体
３２…魚信棒
３９ａ、３９ｂ…付加錘
５０…合わせプレート
５５…ロック体
５６…垂下片
６１…ワイヤ
６３…滑車
尚、各図中同一符号は同一又は相当部分を示す。
【図１】
2012105576.tif 000003
【図２】
2012105576.tif 000004
【図３】
2012105576.tif 000005
【図４】
2012105576.tif 000006
【図５】
2012105576.tif 000007
【図６】
2012105576.tif 000008
【図７】
2012105576.tif 000009
【図８】
2012105576.tif 000010
【図９】
2012105576.tif 000011
【図１０】
2012105576.tif 000012
【図１１】
2012105576.tif 000013
【図１２】
2012105576.tif 000014
【図１３】
2012105576.tif 000015
【図１４】
2012105576.tif 000016
【図１５】
2012105576.tif 000017
【図１６】
2012105576.tif 000018
【図１７】
2012105576.tif 000019
【図１８】
2012105576.tif 000020
【図１９】
2012105576.tif 000021